(57)【要約】【課題】複数のシートサイズのシートを撓ませることなく端部を揃えた状態で載置可能な排紙トレイ及び画像形成装置を提供すること。【解決手段】排紙トレイ３９は、予め定められた基準サイズのシートが載置される第１載置面３９１と、前記第１載置面３９１の外側であって前記第１載置面３９１より鉛直方向の位置が高い位置に設けられて、シート進入方向Ｄ１１及び前記シート進入方向Ｄ１１に垂直なシート幅方向Ｄ１２のいずれか一方又は両方の寸法が前記基準サイズよりも大きいサイズのシートが載置され、前記シート幅方向Ｄ１２に直交する断面において湾曲を形成する第２載置面３９２と、前記第１載置面３９１及び前記第２載置面３９２各々の前記シート進入方向Ｄ１１の両端部及び前記シート幅方向Ｄ１２の両端部いずれか一方又は両方に立設される立設面３９３〜３９７とを備える。【選択図】図２
2015182853.tif 000002
【特許請求の範囲】
【請求項１】
予め定められた基準サイズのシートが載置される第１載置面と、
前記第１載置面の外側であって前記第１載置面より鉛直方向の位置が高い位置に設けられて、シート進入方向及び前記シート進入方向に垂直なシート幅方向のいずれか一方又は両方の寸法が前記基準サイズよりも大きいサイズのシートが載置され、前記シート幅方向に直交する断面において湾曲を形成する第２載置面と、
前記第１載置面及び前記第２載置面各々の前記シート進入方向の両端部及び前記シート幅方向の両端部いずれか一方又は両方に立設される立設面と、
を備える排紙トレイ。
【請求項２】
前記第１載置面より鉛直方向の位置が高くなるに従って前記シート進入方向及び前記シート幅方向のいずれか一方又は両方の寸法が段階的に大きくなるサイズのシートが載置される複数の前記第２載置面を備える請求項１に記載の排紙トレイ。
【請求項３】
前記立設面の一部に外側に突出し上方に開放された凹部が形成されている請求項１又は２に記載の排紙トレイ。
【請求項４】
シートに画像を形成する画像形成部と、
前記画像形成部から排出されるシートが載置される請求項１〜３のいずれかに記載の排紙トレイと、
を備える画像形成装置。
【請求項５】
前記画像形成部から排出されるシートを水平方向から予め定められた角度上方に向けて前記排紙トレイに排出するシート排出部を更に備える請求項４に記載の画像形成装置。
【発明の詳細な説明】
【技術分野】
【０００１】
本発明は、シートが載置される排紙トレイ及び排紙トレイを備える画像形成装置に関する。
【背景技術】
【０００２】
一般に、シートに画像を形成する画像形成装置は、画像形成後のシートが載置される排紙トレイを備える。また、排紙トレイにおけるシート進行方向及びシート進入方向に直交するシート幅方向の寸法が、複数のシートサイズに対応して段階的に大きくなる段差を有する構成が知られている（例えば特許文献１参照）。
【先行技術文献】
【特許文献】
【０００３】
【特許文献１】特開２００９−１６１３１１号公報
【発明の概要】
【発明が解決しようとする課題】
【０００４】
しかしながら、シート進行方向及びシート幅方向の寸法が段階的に大きくなる排紙トレイでは中央部に凹部が形成されることになる。そのため、最小サイズよりも大きなサイズのシートが載置される際にシートが下方に撓むという問題がある。
【０００５】
本発明の目的は、複数のシートサイズのシートを撓ませることなく端部を揃えた状態で載置可能な排紙トレイ及び画像形成装置を提供することにある。
【課題を解決するための手段】
【０００６】
本発明の一の局面に係る排紙トレイは、第１載置面、第２載置面、及び立設面を備える排紙トレイである。前記第１載置面には、予め定められた基準サイズのシートが載置される。前記第２載置面は、前記第１載置面の外側であって前記第１載置面より鉛直方向の位置が高い位置に設けられる。前記第２載置面は、シート進入方向及び前記シート進入方向に垂直なシート幅方向のいずれか一方又は両方の寸法が前記基準サイズよりも大きいサイズのシートが載置される。前記第２載置面は、前記シート幅方向に直交する断面において湾曲を形成する。前記立設面は、前記第１載置面及び前記第２載置面各々の前記シート進入方向の両端部及び前記シート幅方向の両端部いずれか一方又は両方に立設される。
【０００７】
本発明の他の局面に係る画像形成装置は、シートに画像を形成する画像形成部と、前記画像形成部から排出されるシートが載置される前記排紙トレイと、を備える。
【発明の効果】
【０００８】
本発明によれば、複数のシートサイズのシートを撓ませることなく端部を揃えた状態で載置可能な排紙トレイ及び画像形成装置が提供される。
【図面の簡単な説明】
【０００９】
【図１】図１は、本発明の実施の形態に係る画像形成装置の構成を示す図である。
【図２】図２は、本発明の実施の形態に係る排紙トレイの構成を示す図である。
【図３】図３は、本発明の実施の形態に係る排紙トレイの構成を示す図である。
【図４】図４は、本発明の実施の形態に係る排紙トレイの構成を示す図である。
【図５】図５は、本発明の実施の形態に係る排紙トレイの他の例を示す図である。
【図６】図６は、本発明の実施の形態に係る排紙トレイの他の例を示す図である。
【図７】図７は、本発明の実施の形態に係る排紙トレイの他の例を示す図である。
【図８】図８は、本発明の実施の形態に係る排紙トレイの他の例を示す図である。
【図９】図９は、本発明の実施の形態に係る排紙トレイの他の例を示す図である。
【図１０】図１０は、本発明の実施の形態に係る排紙トレイの他の例を示す図である。
【図１１】図１１は、本発明の実施の形態に係る排紙トレイの他の例を示す図である。
【図１２】図１２は、本発明の実施の形態に係る排紙トレイの他の例を示す図である。
【図１３】図１３は、本発明の実施の形態に係る排紙トレイの他の例を示す図である。
【発明を実施するための形態】
【００１０】
［第１実施形態］
まず、図１を参照しつつ、本発明の実施の形態に係る画像形成装置１０の概略構成について説明する。
【００１１】
［画像形成装置１０の概略構成］
図１に示すように、前記画像形成装置１０は、ＡＤＦ１、画像読取部２、画像形成部３、給紙部４、制御部５、及び操作表示部６などを備える複合機である。なお、本発明に係る画像形成装置の他の例には、プリンター、コピー機、及びファクシミリーなどが含まれる。
【００１２】
前記ＡＤＦ１は、搬送ローラー１２各々を駆動させることにより、原稿載置部１１にセットされた原稿を前記画像読取部２による画像読取位置を通過させて排紙トレイ１３まで搬送させる原稿自動送り装置である。
【００１３】
前記画像読取部２は、原稿台２１、光源ユニット２２、ミラー２３、２４、光学レンズ２５、及びＣＣＤ（Charge Coupled Device）２６などを備える。前記原稿台２１は、前記画像読取部２の上面に設けられた原稿の載置部である。前記読取ユニット２２は、ＬＥＤ光源２２１及びミラー２２２を備え、副走査方向Ｄ１に移動可能である。前記ＬＥＤ光源２２１は、前記副走査方向Ｄ１に垂直な主走査方向Ｄ２に沿って配列された多数の白色ＬＥＤを備える。前記ミラー２２２は、前記ＬＥＤ光源２２１から照射されて前記原稿台２１上の読取位置にある前記原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を前記原稿の画像データとして前記制御部５に入力する光電変換素子などを有する。
【００１４】
前記画像形成部３は、前記画像読取部２で読み取られる画像データ、又は外部のパーソナルコンピューター等の情報処理装置から入力される画像データに基づいて画像形成処理（印刷処理）を実行する電子写真方式の画像形成部である。具体的に、前記画像形成部３は、搬送部３０、感光体ドラム３１、帯電装置３２、ＬＳＵ（光走査装置）３３、現像装置３４、転写ローラー３５、クリーニング装置３６、定着ローラー３７、加圧ローラー３８、及び排紙トレイ３９などを備える。
【００１５】
前記給紙部４は、前記画像形成装置１０に着脱可能な給紙カセット４１及び給紙カセット４２を備え、前記給紙カセット４１又は前記給紙カセット４２に収容された紙などのシートを前記画像形成部３に供給する。例えば、前記シートは、紙、コート紙、ハガキ、封筒、及びＯＨＰシートなどのシート材料である。なお、前記給紙カセット４１及び前記給紙カセット４２には異なるサイズのシートが収容可能である。本実施形態に係る前記画像形成装置１０では、前記給紙カセット４１にはＡ４サイズ、前記給紙カセット４１にはＡ３サイズのシートが収容される。
【００１６】
そして、前記画像形成部３に供給されたシートは、前記搬送部３０により前記感光体ドラム３１及び前記転写ローラー３５を経て前記定着ローラー３７及び前記加圧ローラー３８を通過した後、排出口４０から排紙トレイ３９に排出される。このとき、前記画像形成部３では、前記給紙部４から供給されて前記搬送部３０により搬送されるシートに画像を形成する画像形成処理が以下の手順で実行される。
【００１７】
まず、前記帯電装置３２によって前記感光体ドラム３１が所定の電位に一様に帯電される。次に、前記ＬＳＵ３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナーにより現像（可視像化）される。なお、前記現像装置３４には、前記画像形成部３に着脱可能なトナーコンテナ３４Ａからトナーが補給される。続いて、前記感光体ドラム３１に形成されたトナー像は前記転写ローラー３５によってシートに転写される。その後、シートに転写されたトナー像は、そのシートが前記定着ローラー３７及び前記加圧ローラー３８の間を通過する際に前記定着ローラー３７で加熱されて溶融定着する。なお、前記画像形成部３による前記画像形成処理後に前記感光体ドラム３１の表面に残存する前記トナーは前記クリーニング装置３６によって除去される。
【００１８】
前記制御部５は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶手段である。前記ＲＡＭは、各種の情報を記憶する揮発性の記憶手段であり、前記ＣＰＵが実行する各種の処理の一時記憶メモリー（作業領域）として使用される。そして、前記制御部５は、前記ＲＯＭに予め記憶された各種の制御プログラムを前記ＣＰＵで実行することにより前記画像形成装置１０を統括的に制御する。
【００１９】
前記操作表示部６は、前記画像形成装置１０の外面に設けられている。前記操作表示部６は、前記制御部５からの制御指示に応じて各種の情報を表示する液晶ディスプレイなどの表示部を有する。また、前記操作表示部６は、ユーザー操作に応じて前記制御部５に各種の情報を入力するハードキー又はタッチパネルなどの操作部を有する。
【００２０】
［排紙トレイ３９］
ところで、前記排紙トレイ３９には、前記画像形成部３で画像が形成された後のＡ４サイズ又はＡ３サイズなどの異なるサイズのシートが載置されることがある。ここで、前記排紙トレイ３９に載置されるＡ４サイズ又はＡ３サイズのシートの端部を揃えるために、前記排紙トレイ３９におけるシートの載置面が、シート搬送方向及びシート搬送方向に垂直なシート幅方向の寸法が上方に向かって段階的に大きくなる構成が考えられる。しかしながら、このような構成では、前記排紙トレイ３９の中央部に凹部が形成されることになるため、最小サイズよりも大きいシートが前記排紙トレイ３９に載置される際に、そのシートが下方に撓むという問題が生じる。これに対し、前記画像形成装置１０が備える前記排紙トレイ３９では、複数のシートサイズのシートを撓ませることなく端部を揃えて載置することが可能である。
【００２１】
以下、図２〜図４を参照しつつ、本実施形態に係る前記排紙トレイ３９について説明する。図２は前記排紙トレイ３９の斜視図、図３は前記排紙トレイ３９の平面図、図４は図３におけるIV−IV矢視断面図である。なお、本実施形態では、前記排紙トレイ３９を本発明に係る排紙トレイの一例として説明するが、本発明に係る排紙トレイが前記排紙トレイ１３に適用されることも考えられる。
【００２２】
具体的に、図２〜図４に示されているように、前記排紙トレイ３９は、シートが載置される第１載置面３９１及び第２載置面３９２を備える。前記第２載置面３９２は、前記第１載置面３９１より鉛直方向Ｄ１３の位置が高い位置に設けられている。また、前記排紙トレイ３９は、立設面３９３〜３９７を備える。前記立設面３９３及び前記立設面３９４は、前記第１載置面３９１に立設されており、前記立設面３９５及び前記立設面３９６は前記第２載置面３９２に立設されている。また、前記立設面３９７は、前記第１載置面３９１に立設されており、前記立設面３９７には、前記排出口４０が形成されている。
【００２３】
前記第１載置面３９１は、前記排出口４０から前記排紙トレイ３９に進入するシートの移動方向であるシート進入方向Ｄ１１の寸法が、Ａ４サイズの長手方向の寸法と同じである。また、前記第１載置面３９１は、前記シート進入方向Ｄ１１に垂直なシート幅方向Ｄ１２の寸法が、Ａ４サイズの短手方向の寸法と同じである。即ち、本実施形態では、Ａ４サイズが、前記第１載置面３９１に載置されるシートサイズとして予め定められた基準サイズである。
【００２４】
具体的に、前記第１載置面３９１は、前記立設面３９３と前記立設面３９４と前記立設面３９７とによって形成される載置領域を有する。前記立設面３９３は、前記第１載置面３９１の前記シート幅方向Ｄ１２の両端部に設けられており、前記立設面３９４及び前記立設面３９７は、前記第１載置面３９１の前記シート進入方向Ｄ１１の両端部に設けられている。そして、前記立設面３９３各々の間隔は、Ａ４サイズの短手方向の寸法と同じである。そのため、前記搬送口４０から排出されるＡ４サイズのシートは、前記シート幅方向Ｄ１２の端部が前記立設面３９３に沿って移動しながら前記第１載置面３９１に載置される。即ち、前記排出トレイ３９では、前記排出口４０から排出されるＡ４サイズのシートの前記シート幅方向Ｄ１２における移動範囲が前記立設面３９３各々によって規制される。従って、前記排出トレイ３９に排出されるＡ４サイズのシートは、前記第１載置面３９１において前記シート幅方向Ｄ１２の端部が揃えられた状態で積載される。なお、前記立設面３９３と前記立設面３９４と前記立設面３９７とが上方に向けて徐々に拡開する形状であってもよい。
【００２５】
また、前記立設面３９４及び前記立設面３９７の間隔は、Ａ４サイズの長手方向の寸法と同じである。そのため、前記搬送口４０から排出されるＡ４サイズのシートは、前記シート進入方向Ｄ１１の先端が前記立設面３９４に当接して前記第１載置面３９１に載置される。一方、Ａ４サイズのシートの前記シート進入方向Ｄ１１の後端の位置は前記立設面３９７によって規制される。即ち、前記排出トレイ３９では、前記排出口４０から排出されるＡ４サイズのシートの前記シート進入方向Ｄ１１における移動範囲が、前記立設面３９４及び前記立設面３９７によって規制される。従って、前記排出トレイ３９に排出されるＡ４サイズのシートは、前記第１載置面３９１において前記シート進入方向Ｄ１１の端部が揃えられた状態で積載される。
【００２６】
前記第２載置面３９２は、図３に示される前記排紙トレイ３９の平面図において、前記シート幅方向Ｄ１２における前記第１載置面３９１の外側の領域３９２１と、前記シート進入方向Ｄ１１における前記第１載置面３９１の外側の領域３９２２とを含む。前記第２載置面３９２では、前記領域３９２１及び前記領域３９２２の前記シート進入方向Ｄ１１の寸法が、Ａ３サイズの長手方向の寸法と同じである。また、前記第２載置面３９２は、前記領域３９２１及び前記第１載置面３９１の上方空間を含む前記シート幅方向Ｄ１２の寸法が、Ａ３サイズの短手方向の寸法と同じである。さらに、前記第２載置面３９２では、前記領域３９２２の前記シート進入方向Ｄ１１の寸法が、Ａ３サイズの短手方向の寸法と同じである。これにより、前記排出トレイ３９に排出されるＡ３サイズのシートは、前記第２載置面３９２の前記領域３９２１及び前記領域３９２２によって支持される。即ち、本実施形態では、前記第２載置面３９２に、前記第１載置面３９１に載置されるＡ４サイズのシートよりも大きいＡ３サイズのシートが載置される。
【００２７】
具体的に、前記第２載置面３９２は、前記立設面３９５と前記立設面３９６と前記立設面３９７とによって形成される載置領域を有する。前記立設面３９５は、前記第２載置面３９２の前記シート幅方向Ｄ１２の両端部に設けられており、前記立設面３９６及び前記立設面３９７は、前記第２載置面３９２の前記シート進入方向Ｄ１１の両端部に設けられている。そして、前記立設面３９５各々の間隔は、Ａ３サイズの短手方向の寸法と同じである。そのため、前記搬送口４０から排出されるＡ３サイズのシートは、前記シート幅方向Ｄ１２の端部が前記立設面３９５に沿って移動しながら前記第２載置面３９２に載置される。即ち、前記排出トレイ３９では、前記排出口４０から排出されるＡ３サイズのシートの前記シート幅方向Ｄ１２における移動範囲が前記立設面３９５各々によって規制される。従って、前記排出トレイ３９に排出されるＡ３サイズのシートは、前記第２載置面３９２において前記シート幅方向Ｄ１２の端部が揃えられた状態で積載される。なお、前記立設面３９５と前記立設面３９６と前記立設面３９７とが上方に向けて徐々に拡開する形状であってもよい。
【００２８】
また、前記立設面３９６及び前記立設面３９７の間隔は、Ａ３サイズの長手方向の寸法と同じである。そのため、前記搬送口４０から排出されるＡ３サイズのシートは、前記シート進入方向Ｄ１１の先端が前記立設面３９６に当接して前記第２載置面３９２に載置される。一方、Ａ３サイズのシートの前記シート進入方向Ｄ１１の後端の位置は前記立設面３９７によって規制される。即ち、前記排出トレイ３９では、前記排出口４０から排出されるＡ３サイズのシートの前記シート進入方向Ｄ１１における移動範囲が、前記立設面３９６及び前記立設面３９７によって規制される。従って、前記排出トレイ３９に排出されるＡ３サイズのシートは、前記第２載置面３９２において前記シート進入方向Ｄ１１の端部が揃えられた状態で積載される。
【００２９】
そして、前記排紙トレイ３９では、図４に示されるように、前記第２載置面３９２が、前記シート幅方向Ｄ１２に直交する断面において湾曲を形成する。より具体的に、前記第２載置面３９２は、上方に凸形状の湾曲面である。なお、前記第２載置面３９２は、下方に凸形状の湾曲面であってもよい。
【００３０】
このように構成された前記排紙トレイ３９では、前記第２載置面３９２に載置されるＡ３サイズのシートが、前記第２載置面３９２に沿って上方に凸形状に湾曲した状態で載置されることになる。これにより、前記第２載置面３９２では、Ａ３サイズのシートが長手方向に湾曲することになり、短手方向における湾曲が抑制される。従って、例えば前記第２載置面３９２に載置されるＡ３サイズのシートの短手方向における撓みを抑制しつつ、前記凹部の深さを深くして前記第１載置面３９１におけるシートの積載可能枚数を多くすることが可能である。
【００３１】
なお、前記排紙トレイ３９に載置される前記シート進入方向Ｄ１１の位置と前記シート幅方向Ｄ１２の位置とのいずれか一方を揃えることが可能な構成も他の実施形態として考えられる。即ち、前記第１載置面３９１の前記シート進入方向Ｄ１１における両端部に設けられる前記立設面３９４及び前記立設面３９７の間隔と、前記第１載置面３９１の前記シート幅方向Ｄ１２における両端部に設けられる前記立設面３９３各々の間隔とのいずれかがＡ４サイズに対応するものであってもよい。また、前記第２載置面３９２の前記シート進入方向Ｄ１１における両端部に設けられる前記立設面３９６及び前記立設面３９７の間隔と、前記第２載置面３９２の前記シート幅方向Ｄ１２における両端部に設けられる前記立設面３９５各々の間隔とのいずれかがＡ３サイズに対応するものであってもよい。
【００３２】
また、本実施形態では、前記排紙トレイ３９に、異なるＡ４サイズ及びＡ３サイズのシートが載置される２つの前記載置面３９１及び前記載置面３９２が設けられている場合を例に挙げて説明したがこれに限らない。例えば、前記排紙トレイ３９に、前記第１載置面より前記鉛直方向Ｄ１３の位置が高くなるに従って前記シート進入方向Ｄ１１及び前記シート幅方向Ｄ１２のいずれか一方又は両方の寸法が段階的に大きくなるＢ５サイズ、Ａ４サイズ、Ａ３サイズのシートが載置される複数の載置面が設けられることも他の実施形態として考えられる。この場合、最も小さいＢ５サイズに対応する載置面が第１載置面の一例であり、Ａ４サイズ及びＡ３サイズに対応する載置面が第２載置面の一例である。
【００３３】
［第２実施形態］
次に、図５〜図７を参照しつつ前記排出トレイ３９の変形例について説明する。図５は前記排出トレイ３９の斜視図、図６は前記排出トレイ３９の平面図、図７は図６におけるVII−VII矢視断面図である。なお、前記第１実施形態と同様の構成は同じ符号を付してその説明を省略する。
【００３４】
図５〜図７に示されているように、前記排出トレイ３９は、前記立設面３９３の一部に外側に突出するように形成され、上方が開放されている凹部３９８を備える。これにより、前記画像形成装置１０のユーザーは、前記第１載置面３９１に載置されたシートを前記凹部３９８に指を入れて容易に取り出すことが可能である。また、前記凹部３９８は、前記立設面３９３から前記立設面３９５に亘って形成されておらず、前記第２載置面３９２の前記領域３９２１を前記シート進入方向Ｄ１１に分断しない深さである。そのため、前記第２載置面３９２に排出されるシートの先端が前記凹部３９８の縁部に引っ掛からず、シートの搬送が前記凹部３９８で妨げられることがない。なお、前記凹部３９８は、前記立設面３９３に限らず、前記立設面３９３における他の位置、又は前記立設面３９４に設けられていてもよい。
【００３５】
同じく、前記排出トレイ３９は、前記立設面３９５の一部に外側に突出するように形成され、上方が開放されている凹部３９９を備える。これにより、前記画像形成装置１０のユーザーは、前記第２載置面３９２に載置されたシートを前記凹部３９９に指を入れて容易に取り出すことが可能である。なお、前記凹部３９９は、前記立設面３９５に限らず、前記立設面３９５における他の位置、又は前記立設面３９６に設けられていてもよい。
【００３６】
［第３実施形態］
続いて、図８〜図１０を参照しつつ、前記排紙トレイ３９の他の例である排紙トレイ７０について説明する。図８は前記排紙トレイ７０の斜視図、図９は前記排紙トレイ７０の平面図、図１０は図９におけるX−X矢視断面図である。
【００３７】
具体的に、図８〜図１０に示されているように、前記排紙トレイ７０は、シートが載置される第１載置面７１及び第２載置面７２を備える。前記第２載置面７２は、前記第１載置面７１より鉛直方向Ｄ１３の位置が高い位置に設けられている。また、前記排紙トレイ７０は、立設面７３〜７６を備える。前記立設面７３及び前記立設面７４は、前記第１載置面７１に立設されており、前記立設面７５は、前記第２載置面７２に立設されている。また、前記立設面７６は、前記第１載置面７１に立設されており、前記立設面７６には、前記排出口４０が形成されている。
【００３８】
前記第１載置面７１は、前記シート進入方向Ｄ１１の寸法が、Ａ４サイズの短手方向の寸法と同じである。また、前記第１載置面７１は、前記シート幅方向Ｄ１２の寸法が、Ａ４サイズの長手方向の寸法と同じである。即ち、本実施形態では、Ａ４サイズが、前記第１載置面７１に載置されるシートサイズとして予め定められた基準サイズである。
【００３９】
具体的に、前記第１載置面７１は、前記立設面７３と前記立設面７４と前記立設面７６とによって形成される載置領域を有する。そして、前記立設面７３各々の間隔は、Ａ４サイズの長手方向の寸法と同じである。そのため、前記搬送口４０から排出されるＡ４サイズのシートは、前記シート幅方向Ｄ１２の端部が前記立設面７３に沿って移動しながら前記第１載置面７１に載置される。即ち、前記排出トレイ７０では、前記排出口４０から排出されるＡ４サイズのシートの前記シート幅方向Ｄ１２における移動範囲が前記立設面７３各々によって規制される。従って、前記排出トレイ７０に排出されるＡ４サイズのシートは、前記第１載置面７１において前記シート幅方向Ｄ１２の端部が揃えられた状態で積載される。なお、前記立設面７３と前記立設面７４と前記立設面７６とが上方に向けて徐々に拡開する形状であってもよい。
【００４０】
また、前記立設面７４及び前記立設面７６の間隔は、Ａ４サイズの短手方向の寸法と同じである。そのため、前記搬送口４０から排出されるＡ４サイズのシートは、前記シート進入方向Ｄ１１の先端が前記立設面７４に当接して前記第１載置面７１に載置される。一方、Ａ４サイズのシートの前記シート進入方向Ｄ１１の後端の位置は前記立設面７６によって規制される。即ち、前記排出トレイ７０では、前記排出口４０から排出されるＡ４サイズのシートの前記シート進入方向Ｄ１１における移動範囲が、前記立設面７４及び前記立設面７６によって規制される。従って、前記排出トレイ７０に排出されるＡ４サイズのシートは、前記第１載置面７１において前記シート進入方向Ｄ１１の端部が揃えられた状態で積載される。
【００４１】
前記第２載置面７２は、図９に示される前記排紙トレイ７０の平面図において、前記シート幅方向Ｄ１２における前記第１載置面７１の外側の領域である。前記第２載置面７２は、前記シート幅方向Ｄ１２の寸法が、Ａ３サイズの短手方向の寸法と同じである。また、前記第２載置面７２は、前記シート進入方向Ｄ１１の寸法が、Ａ４サイズの短手方向の寸法と同じである。これにより、前記排出トレイ７０に排出されるＡ３サイズのシートは、前記第２載置面７２から前記第１載置面７１に亘る領域で支持される。即ち、本実施形態では、前記第２載置面７２に、前記第１載置面７１に載置されるＡ４サイズのシートよりも大きいＡ３サイズのシートが載置される。
【００４２】
具体的に、前記第２載置面７２は、前記立設面７３と前記立設面７５と前記立設面７６とによって形成される載置領域を有する。そして、前記立設面７３各々の間隔は、Ａ３サイズの短手方向の寸法と同じである。そのため、前記搬送口４０から排出されるＡ３サイズのシートは、前記シート幅方向Ｄ１２の端部が前記立設面７３に沿って移動しながら前記第２載置面７２に載置される。即ち、前記排出トレイ７０では、前記排出口４０から排出されるＡ３サイズのシートの前記シート幅方向Ｄ１２における移動範囲が前記立設面７３各々によって規制される。従って、前記排出トレイ７０に排出されるＡ３サイズのシートは、前記第２載置面７２において前記シート幅方向Ｄ１２の端部が揃えられた状態で積載される。なお、前記立設面７３と前記立設面７５と前記立設面７６とが上方に向けて徐々に拡開する形状であってもよい。
【００４３】
また、前記立設面７５及び前記立設面７６の間隔は、Ａ３サイズの長手方向の寸法と同じである。そのため、前記搬送口４０から排出されるＡ３サイズのシートは、前記シート進入方向Ｄ１１の先端が前記立設面７５に当接して前記第２載置面７２に載置される。一方、Ａ３サイズのシートの前記シート進入方向Ｄ１１の後端の位置は前記立設面７６によって規制される。即ち、前記排出トレイ７０では、前記排出口４０から排出されるＡ３サイズのシートの前記シート進入方向Ｄ１１における移動範囲が、前記立設面７５及び前記立設面７６によって規制される。従って、前記排出トレイ７０に排出されるＡ３サイズのシートは、前記第２載置面７５において前記シート進入方向Ｄ１１の端部が揃えられた状態で積載される。
【００４４】
そして、前記排紙トレイ７０では、図１０に示されるように、前記第２載置面７２が、前記シート幅方向Ｄ１２に直交する断面において湾曲を形成する。より具体的に、前記第２載置面７２は、上方に凸形状の湾曲面である。なお、前記第２載置面７２は、下方に凸形状の湾曲面であってもよい。
【００４５】
このように構成された前記排紙トレイ７０では、前記第２載置面７２に載置されるＡ３サイズのシートが、前記第２載置面７２に沿って上方に凸形状に湾曲した状態で載置されることになる。これにより、前記第２載置面７２では、Ａ３サイズのシートが長手方向に湾曲することになり、短手方向における湾曲が抑制される。
【００４６】
なお、図１０に示されるように、前記排紙トレイ７０では、前記排出口４０から排出されるシートが、水平方向に対して予め定められた角度上方に傾斜する傾斜方向Ｄ１４に向けて排出される。具体的に、前記画像形成部３から前記排出口４０に続くシート搬送経路の形状、又は前記排出ローラー３０１の配置が、前記排出口４０から排出されるシートが前記傾斜方向Ｄ１４に向けて排出されるように構成されている。ここに、前記シート搬送経路又は前記排出ローラー３０１がシート排出部の一例である。これにより、前記排出口４０から排出されるＡ３サイズのシートの先端は、前記第１載置面７１を超えて前記第２載置面７２に到達して載置される。一方、前記排出口４０から排出されるＡ４サイズのシートの先端は、前記第２載置面７２に届かず、前記第１載置面７１に落下して載置される。
【００４７】
［第４実施形態］
次に、図１１〜図１３参照しつつ、前記排紙トレイ３９の他の例である排紙トレイ８０について説明する。図１１は前記排紙トレイ８０の斜視図、図１２は前記排紙トレイ８０の平面図、図１３は図１２におけるXIII−XIII矢視断面図である。
【００４８】
具体的に、図１１〜図１３に示されているように、前記排紙トレイ８０は、シートが載置される第１載置面８１及び第２載置面８２を備える。前記第２載置面８２は、前記第１載置面８１より前記鉛直方向Ｄ１３の位置が高い位置に設けられている。また、前記排紙トレイ８０は、立設面８３〜８８を備える。前記立設面８３〜前記立設面８６は、前記第１載置面８１に立設されており、前記立設面８７は、前記第２載置面８２に立設されている。また、前記立設面８８は、前記第１載置面８１に立設されており、前記立設面８８には、前記排出口４０が形成されている。
【００４９】
前記第１載置面８１は、図１２に示すように、前記立設面８３と前記立設面８６と前記立設面８８とによって形成される載置領域８１１と、前記立設面８４と前記立設面８５と前記立設面８８とによって形成される載置領域８１２（図１２における斜線部）とを有する。前記載置領域８１１は、前記シート進入方向Ｄ１１の寸法がＡ４サイズの短手方向の寸法と同じであり、前記シート幅方向Ｄ１２の寸法がＡ４サイズの長手方向の寸法と同じである。また、前記載置領域８１２は、前記シート進入方向Ｄ１１の寸法がＡ４サイズの長手方向の寸法と同じであり、前記シート幅方向Ｄ１２の寸法がＡ４サイズの短手方向の寸法と同じである。即ち、本実施形態では、Ａ４サイズが、前記第１載置面８１に載置されるシートサイズとして予め定められた基準サイズである。
【００５０】
具体的に、前記立設面８３各々の間隔は、Ａ４サイズの長手方向の寸法と同じである。そのため、長手方向が前記シート進入方向Ｄ１１と垂直な状態で前記搬送口４０から排出されるＡ４サイズのシートは、前記シート幅方向Ｄ１２の端部が前記立設面８３に沿って移動しながら前記第１載置面８１の前記載置領域８１１に載置される。即ち、前記排出トレイ８０では、前記排出口４０から排出されるＡ４サイズのシートの前記シート幅方向Ｄ１２における移動範囲が前記立設面８３各々によって規制される。従って、長手方向が前記シート進入方向Ｄ１１と垂直な状態で前記排出トレイ８０に排出されるＡ４サイズのシートは、前記第１載置面８１の前記載置領域８１１において前記シート幅方向Ｄ１２の端部が揃えられた状態で積載される。なお、前記立設面８３と前記立設面８６と前記立設面８８とが上方に向けて徐々に拡開する形状であってもよい。
【００５１】
また、前記立設面８６及び前記立設面８８の間隔は、Ａ４サイズの短手方向の寸法と同じである。そのため、長手方向が前記シート進入方向Ｄ１１と垂直な状態で前記搬送口４０から排出されるＡ４サイズのシートは、前記シート進入方向Ｄ１１の先端が前記立設面８６に当接して前記第１載置面８１の前記載置領域８１１に載置される。一方、Ａ４サイズのシートの前記シート進入方向Ｄ１１の後端の位置は前記立設面８８によって規制される。即ち、前記排出トレイ８０では、前記排出口４０から排出されるＡ４サイズのシートの前記シート進入方向Ｄ１１における移動範囲が、前記立設面８６及び前記立設面８８によって規制される。従って、長手方向が前記シート進入方向Ｄ１１と垂直な状態で前記排出トレイ８０に排出されるＡ４サイズのシートは、前記第１載置面８１の前記載置領域８１１において前記シート進入方向Ｄ１１の端部が揃えられた状態で積載される。
【００５２】
同じく、前記立設面８４各々の間隔は、Ａ４サイズの短手方向の寸法と同じである。そのため、長手方向が前記シート進入方向Ｄ１１と平行な状態で前記搬送口４０から排出されるＡ４サイズのシートは、前記シート幅方向Ｄ１２の端部が前記立設面８４に沿って移動しながら前記第１載置面８１の前記載置領域８１２に載置される。即ち、前記排出トレイ８０では、前記排出口４０から排出されるＡ４サイズのシートの前記シート幅方向Ｄ１２における移動範囲が前記立設面８４各々によって規制される。従って、長手方向が前記シート進入方向Ｄ１１と平行な状態で前記排出トレイ８０に排出されるＡ４サイズのシートは、前記第１載置面８１の前記載置領域８１２において前記シート幅方向Ｄ１２の端部が揃えられた状態で積載される。なお、前記立設面８４と前記立設面８５と前記立設面８８とが上方に向けて徐々に拡開する形状であってもよい。
【００５３】
また、前記立設面８５及び前記立設面８８の間隔は、Ａ４サイズの長手方向の寸法と同じである。そのため、長手方向が前記シート進入方向Ｄ１１と平行な状態で前記搬送口４０から排出されるＡ４サイズのシートは、前記シート進入方向Ｄ１１の先端が前記立設面８５に当接して前記第１載置面８１の前記載置領域８１２に載置される。一方、Ａ４サイズのシートの前記シート進入方向Ｄ１１の後端の位置は前記立設面８８によって規制される。即ち、前記排出トレイ８０では、前記排出口４０から排出されるＡ４サイズのシートの前記シート進入方向Ｄ１１における移動範囲が、前記立設面８５及び前記立設面８８によって規制される。従って、長手方向が前記シート進入方向Ｄ１１と平行な状態で前記排出トレイ８０に排出されるＡ４サイズのシートは、前記第１載置面８１の前記載置領域８１２において前記シート進入方向Ｄ１１の端部が揃えられた状態で積載される。
【００５４】
一方、前記第２載置面８２は、前記立設面８３と前記立設面８７と前記立設面８８とによって形成される載置領域を有する。そして、前記立設面８３各々の間隔は、Ａ３サイズの短手方向の寸法と同じである。そのため、前記搬送口４０から排出されるＡ３サイズのシートは、前記シート幅方向Ｄ１２の端部が前記立設面８３に沿って移動しながら前記第２載置面８２に載置される。即ち、前記排出トレイ８０では、前記排出口４０から排出されるＡ３サイズのシートの前記シート幅方向Ｄ１２における移動範囲が前記立設面８３各々によって規制される。従って、前記排出トレイ８０に排出されるＡ３サイズのシートは、前記第２載置面８２において前記シート幅方向Ｄ１２の端部が揃えられた状態で積載される。なお、前記立設面８３と前記立設面８７と前記立設面８８とが上方に向けて徐々に拡開する形状であってもよい。
【００５５】
また、前記立設面８７及び前記立設面８８の間隔は、Ａ３サイズの長手方向の寸法と同じである。そのため、前記搬送口４０から排出されるＡ３サイズのシートは、前記シート進入方向Ｄ１１の先端が前記立設面８７に当接して前記第２載置面８２に載置される。一方、Ａ３サイズのシートの前記シート進入方向Ｄ１１の後端の位置は前記立設面８８によって規制される。即ち、前記排出トレイ８０では、前記排出口４０から排出されるＡ３サイズのシートの前記シート進入方向Ｄ１１における移動範囲が、前記立設面８７及び前記立設面８８によって規制される。従って、前記排出トレイ８０に排出されるＡ３サイズのシートは、前記第２載置面８２において前記シート進入方向Ｄ１１の端部が揃えられた状態で積載される。
【００５６】
そして、前記排紙トレイ８０では、図１３に示されるように、前記第２載置面８２が、前記シート幅方向Ｄ１２に直交する断面において湾曲を形成する。より具体的に、前記第２載置面８２は、上方に凸形状の湾曲面である。なお、前記第２載置面８２は、下方に凸形状の湾曲面であってもよい。
【００５７】
このように構成された前記排紙トレイ８０では、前記第２載置面８２に載置されるＡ３サイズのシートが、前記第２載置面８２に沿って上方に凸形状に湾曲した状態で載置されることになる。これにより、前記第２載置面８２では、Ａ３サイズのシートが長手方向に湾曲することになり、短手方向における湾曲が抑制される。
【符号の説明】
【００５８】
１０：画像形成装置
３９：排紙トレイ
４０：排出口
３９１：第１載置面
３９２：第２載置面
３９３〜３９７：立設面
【図１】
2015182853.tif 000003
【図２】
2015182853.tif 000004
【図３】
2015182853.tif 000005
【図４】
2015182853.tif 000006
【図５】
2015182853.tif 000007
【図６】
2015182853.tif 000008
【図７】
2015182853.tif 000009
【図８】
2015182853.tif 000010
【図９】
2015182853.tif 000011
【図１０】
2015182853.tif 000012
【図１１】
2015182853.tif 000013
【図１２】
2015182853.tif 000014
【図１３】
2015182853.tif 000015